(57)【要約】【課題】外観が深く見える照明または信号伝達装置を提供する。【解決手段】出力ブロックが設けられている照明または信号伝達装置であって、この出力ブロックは、個々のスクリーン（１００）のスタック（３０）からなり、各スクリーンは、光源から放出される光信号（２００）を逸らすことができるように、スクリーンの厚さ方向に形成された複数の光学的パターン（１０４）を有する。この装置から放出される光ビームの広がりは、スクリーンによって画定され、かつ光学パターンを含む平面と平行な方向に、各スクリーンにおいて、一致する第１の拡散方向（ＯＸ）と、スクリーンによって画定された平面とほぼ垂直な平面と平行な方向に一致する第２の拡散方向（ＯＺ）に調節することができる。第２の拡散平面における広がりは、様々なスクリーンの相対位置によって決まる。【選択図】図３Ａ
2007294459.tif 000002
【特許請求の範囲】
【請求項１】
複数の光信号２００からなる光ビームを自動車用の照明または信号伝達装置の出力ブロックの方向に放出する少なくとも１つの光源を有する、照明または信号伝達装置において、
前記出力ブロックは、少なくとも第１のスクリーンおよび第２のスクリーンからなるスクリーン１００、１００’のスタック３００、４００、５００を有し、各スクリーンは、光信号が入射する入射面１０１、１０１’、および出射面１０２、１０２’を備えており、前記各スクリーンの前記入射面と出射面は、スクリーンの厚さを定めている上面１０３と下面とによって接合されており、かつ少なくとも１つの前記スクリーンは、前記スクリーンに設けられた貫通孔からなる、前記スクリーンの厚さ方向の少なくとも１つの光学的パターン１０４を有する、照明または信号伝達装置。
【請求項２】
上面と下面は、平面または規制された面であることを特徴とする、請求項１に記載の照明または信号伝達装置。
【請求項３】
上面と下面は、互いに平行であることを特徴とする、請求項２に記載の照明または信号伝達装置。
【請求項４】
上面と下面は、平面であって、互いに所定の傾斜していることを特徴とする、請求項３に記載の照明または信号伝達装置。
【請求項５】
１つの同じスクリーンにおける光学パターンは、少なくとも１つの曲線１０５上に設けられていることを特徴とする、請求項１〜４のいずれかに記載の照明または信号伝達装置。
【請求項６】
曲線１０５は、そのスクリーンの入射面に対して平行であることを特徴とする、請求項５に記載の照明または信号伝達装置。
【請求項７】
１つのスクリーンにおける光学パターンは、少なくとも第１の曲線１０５および第２の曲線１０６に沿って設けられていることを特徴とする、請求項１〜６のいずれかに記載の照明または信号伝達装置。
【請求項８】
第１の曲線１０５と第２の曲線１０６は、平行であることを特徴とする、請求項７に記載の照明または信号伝達装置。
【請求項９】
曲線の列の上に設けられた光学パターンは、第１のレベルで収束１０７するか、または第２のレベルで収束または発散１０８していることを特徴とする、請求項５〜７のいずれかに記載の照明または信号伝達装置。
【請求項１０】
光学パターンは、各スクリーンの入射面から出射面にかけて、まず収束光学パターンのみを有する第１の曲線２０１上に、次いで収束光学パターンのみを有する第２の曲線２０２上に、次いで発散光学パターンのみを有する第３の曲線２０３上に設けられていることを特徴とする、請求項９に記載の照明または信号伝達装置。
【請求項１１】
１つのスクリーンにおける２つの光学パターンは、互いに対してずれており、かつ前記２つの光学パターンは、同じ光信号を遮らないようになっていることを特徴とする、請求項１〜１０のいずれかに記載の照明または信号伝達装置。
【請求項１２】
光信号は、各スクリーンの上面に対して平行な光平面に分布されており、１つのスクリーンの光学パターンは、光平面における全ての光信号を遮っていることを特徴とする、請求項１のいずれかに記載の照明または信号伝達装置。
【請求項１３】
光信号は、各スクリーンの入射面に垂直に入射するようになっていることを特徴とする、請求項５〜１２のいずれかに記載の照明または信号伝達装置。
【請求項１４】
第１のスクリーンにおける第１の光学パターン、およびこの第１のスクリーンに接触している第２のスクリーンにおける第２の光学パターンからなる任意の対の光学パターンが、前記第１の光学パターンと第２の光学パターンが出射面に対し、垂直な方向（ＯＸ）においてずれるようにして、設けられていることを特徴とする、請求項１〜２のいずれかに記載の照明または信号伝達装置。
【請求項１５】
照明または信号伝達装置は、３個〜７個のスクリーンからなるスタックを有することを特徴とする、請求項１〜１４のいずれかに記載の照明または信号伝達装置。
【請求項１６】
各スクリーンの厚さは、２ｍｍ〜６ｍｍであることを特徴とする、請求項１〜１５のいずれかに記載の照明または信号伝達装置。
【請求項１７】
各スクリーンの出射面は、曲線状であることを特徴とする、請求項１〜１６のいずれかに記載の照明または信号伝達装置。
【請求項１８】
スクリーンの曲線は、スクリーンのスタックの丸い全出射面３０１を形成していることを特徴とする、請求項１〜１７のいずれかに記載の照明または信号伝達装置。
【請求項１９】
スクリーンのスタックにおける連続した２つのスクリーンの２つの出射面は、一直線であることを特徴とする、請求項１〜１８のいずれかに記載の照明または信号伝達装置。
【請求項２０】
スクリーンのスタックにおける連続した２つのスクリーンの２つの出射面は、出射面に対して直交する方向において、ずれていることを特徴とする、請求項１〜１８のいずれかに記載の照明または信号伝達装置。
【請求項２１】
スクリーンのスタックを構成しているスクリーンは、形状が同一であることを特徴とする、請求項１〜２０のいずれかに記載の照明または信号伝達装置。
【請求項２２】
スクリーンは、透明な材料から形成されていることを特徴とする、請求項１〜２１のいずれかに記載の照明または信号伝達装置。
【請求項２３】
スクリーンは、ポリメチルメタクリレート、またはポリカーボネートから形成されていることを特徴とする、請求項１〜２２のいずれかに記載の照明または信号伝達装置。
【請求項２４】
スクリーンのスタックにおける２つの連続したスクリーンは、これらのスクリーンの間に設けたインクが、レーザーによって加熱されることにより、互いに固定されていることを特徴とする、請求項１〜２３のいずれかに記載の照明または信号伝達装置。
【請求項２５】
請求項１〜２４のいずれかに記載の照明または信号伝達装置内に配置されているスクリーンのスタックにおけるスクリーン１００において、
入射面１０１および出射面１０２を有し、各スクリーンの入射面と出射面は、スクリーンの厚さを画定している上面１０３と底面によって接合されており、
前記スクリーンは、その厚さ内に形成された少なくとも１つの光学パターン１０４を有することを特徴とする、スクリーン。
【請求項２６】
請求項１〜２４のいずれかに記載の照明または信号伝達装置を備える自動車。
【発明の詳細な説明】
【技術分野】
【０００１】
本発明の技術分野は、大まかに言えば、自動車用の照明および信号伝達に関する分野である。この分野では、本発明に直接関連した様々なタイプの装置が知られている。特に、次のタイプの装置が知られている。
１．バックライトなどの自動車の後部に装備される照明装置。
２．方向指示器、ハザードランプ、およびＤＲＬ（Daytime Running Light）、すなわち昼間走行用ライトなどの自動車の前部または側面に装備される信号伝達装置。
３．フォグランプ、方向指示器、ストップランプ、および上部ストップランプなどの自動車の後部に装備される信号伝達装置。
４．自動車のウイング、ドア縁、またはルーフの照明の上で照らされるスタイルラインなどのスタイルに関係する照明装置。
【背景技術】
【０００２】
上記した全ての装置は、スタイルに関するある種の期待に応えうる技術の変化に大きく依存している。特に自動車製造業者は、近時、いくつかの要望を満たす技術革新の要求に取り組んでいる。具体的には、その要望は、次の通りである。
１．スイッチがオフの状態で外観が深く見える照明、または信号伝達装置を得ること。
２．スイッチのオン・オフにかかわらず、直接視認することはできず、かつ位置を特定できないように、装置内の光源を隠蔽すること。
３．装置が機能している際に、スイッチが完全にオンしている外観を呈するようにすること。
４．ライトの実際の光源を隠蔽する二次光源の外観の印象を発揮するスタイル効果を発揮させること。
【０００３】
従来、このような要求、特にライトの実際の光源を隠蔽し、スタイル効果を発揮させるという要求を満たすべく、様々な解決策が提案されてきた。具体的には、照明または信号伝達装置の光源の前方に、スクリーンまたはキャップ型の要素を配置すること、光源をオフセットさせて、ヘッドライト装置のリフレクタに光を戻し、間接型の照明を実現すること、ヘッドライト装置の光源の反対側に、反射型の光路を形成する複数の貫通開口を有するスクリーンを配置することが提案されている。
【０００４】
しかし、このような全ての解決策は、製造業者の期待する技術革新の要求を満たしていない。また、このような解決策は、いずれも、照明または信号伝達装置によって機能が果たされている場合に、完全にスイッチがオンの外観、すなわち、通常「スイッチオンの材料のブロック」と呼ばれる外観を発揮させるという問題に、十分に応えることができない。
【発明の開示】
【発明が解決しようとする課題】
【０００５】
本発明は、上記の問題点を解決するためになされたものであり、深く見える照明または信号伝達装置を提供することを目的とする。本発明はまた、自動車製造業者からの絶え間ない革新の要求、特に、特定のタイプの自動車用ヘッドライト装置のスタイルの要求に応える解決策を提案することを目的とする。このため、様々なタイプの照明または信号伝達装置に利用できる特殊な技術的なデザインを提案する。
【課題を解決するための手段】
【０００６】
本発明の目的は、上記した問題および欠点に対する解決策を提案することにある。大まかに言えば、本発明は、出力ブロックが設けられている照明または信号伝達装置を提案するものである。この出力ブロックは、個々のスクリーンのスタックからなり、各スクリーンは、この装置の光源から放出される光信号を逸らすことができ、スクリーンの厚みに形成された複数の光学パターンを有する。
【０００７】
この装置から放出される光ビームの広がりは、スクリーンによって画定され、かつ光学パターンを含む平面と平行な方向に、各スクリーンにおいて、一致する第１の拡散方向と、スクリーンによって画定された平面とほぼ垂直な平面と平行な方向に一致する第２の拡散方向に調節することができる。第２の拡散平面における広がりは、様々なスクリーンの相対位置によって決まる。
【０００８】
したがって、本発明は、自動車用の照明または信号伝達装置に関係する。この装置は、複数の光信号からなる光ビームを、この装置の出力ブロックの方向に放出する少なくとも１つの光源を有する。
【０００９】
この装置の特徴は、出力ブロックが、少なくとも第１のスクリーンと第２のスクリーンからなるスクリーンのスタックを有しており、各スクリーンが、光信号が入射する入射面および出射面を有しており、各スクリーンの入射面と出射面が、間にスクリーンの厚みを画定する上面と下面によって接合されており、少なくとも１つのスクリーンは、その厚みにおいて、スクリーンに形成された貫通開口からなる少なくとも１つの光学パターンを有することである。
【００１０】
上記した本発明の第１の形態とは別に、本発明による装置は、次に示す１つまたは複数の二次的な特徴を有することがある。
１．上面および下面は、平面である。
２．上面と下面は、平行である。
３．各光学パターンは、スクリーンに設けられた貫通孔からなる。
４．１つの同じスクリーンにおける光学パターンは、そのスクリーンの入射面と平行な、少なくとも１つの曲線上に設けられている。
５．１つの同じスクリーンにおける光学パターンは、互いに平行な、少くとも第１の曲線上および第２の曲線上に設けられている。
６．ある曲線上に設けられた光学パターンは、収束のみか、または発散のみである。
７．光学パターンは、各スクリーンの入射面から出射面にかけて、まず収束光学パターンのみを有する第１の曲線上、次に、収束光学パターンのみを有する第２の曲線上、次に、発散光学パターンのみを有する第３の曲線上に設けられている。
８．１つの同じスクリーンにおける２つの光学パターンは、互いに対してずれており、これらの２つの光学パターンは、同じ光信号を遮ぎることはない。
９．光信号は、各スクリーンの上面に対して平行な光平面に分布しており、１つのスクリーンの光学パターンは、光平面における全ての光信号を遮っている。
１０．光信号は、各スクリーンの入射面と直角に、スクリーンに入射する。
１１．第１のスクリーンにおける第１の光学パターン、およびこの第１のスクリーンに接触している第２のスクリーンにおける第２の光学パターンからなる任意の対の光学パターンは、第１の光学パターンと第２の光学パターンが出射面に対して直交する方向において、ずらせて設けられている。
１２．装置は、３個〜７個のスクリーンからなるスタックを有する。
１３．各スクリーンの厚さは、２ｍｍ〜６ｍｍである。
１４．各スクリーンの出射面は、曲線状である。
１５．スクリーンの曲線構造は、スクリーンのスタックの丸い全出射面を形成している。
１６．スクリーンのスタックにおける連続した２つのスクリーンの２つの入射面は、一直線である。
１７．スクリーンのスタックにおける連続した２つのスクリーンの２つの入射面は、出射面に対して直交する方向にずれている。
１８．スクリーンのスタックを構成しているスクリーンは、同一形状である。
１９．スクリーンは、透明な材料から形成されている。
２０．スクリーンは、ポリメチルメタクリレート（ＰＭＭＡ）から形成されている。
２１．スクリーンのスタックにおける２つの連続したスクリーンは、これらのスクリーンの間に配置されたインクが、レーザーによって加熱されることによって互いに固定されている。
【００１１】
また本発明は、一次的な特徴、および可能性として、１または複数の前記した二次的な特徴を有する照明または信号伝達装置内に配置されるスクリーンのスタックにおけるスクリーンにも関する。
【００１２】
このスクリーンは、入射面および出射面を有し、各スクリーンの入射面と出射面は、スクリーンの厚さを定めている上面と底面によって接合されており、スクリーンは、その厚さの領域中に形成された少なくとも１つの光学パターンを有することを特徴としている。
【００１３】
また本発明は、一次的な特徴、および可能性として、１つまたは複数の前記した二次的な特徴を有する照明または信号伝達装置を装備した自動車にも関する。
【００１４】
本発明および本発明の様々な適用例は、以下の記載、および添付の図面の説明から、より良く理解できると思う。
【発明を実施するための最良の形態】
【００１５】
添付の図面は、本発明の単なる例示であって、本発明を限定するものではない。
【００１６】
特段の記載がない限り、各図面における諸要素には、同じ符号を付してある。
【００１７】
図１は、自動車用の照明または信号伝達装置の外部ユニットに配置される、本発明によるスクリーン（すなわち光学系）１００の一例を示している。スクリーン１００は、透明な材料、すなわち、光が透過する材料から形成され、一例として、使用される材料は、ポリメチルメタクリレート（ＰＭＭＡ）、または特殊ガイドポリカーボネート（ＰＣ）である。
【００１８】
スクリーン１００は、プレートの形態であり、図２に示されている光信号２００が入射する入射面１０１、スクリーン１００が配置される照明または信号装置の外側から見える出射面１０２、上面１０３、および不図示の下面を有する。
【００１９】
一般に、２つスクリーン１００は、上記した４つの面の寸法および相対位置が同一である場合には、同じ形を有していることに留意されたい。下面と上面との間の測定距離が、スクリーン１００の厚さである。
【００２０】
図示の例では、上面と下面が平行であるため、スクリーンは、プレートの形態である。上面と下面は、規制された表面、すなわち、所定の規則に従って移動する直線によって画定された面とすることもできる。
【００２１】
また、上面と下面を、互いに平行ではない面とし、互いに角度を成すようにすることもある。平面または規則によって定められた表面を有する実施形態は、詳細を後述するスクリーン１００の積重ねの際に、特に有利である。
【００２２】
入射面１０１および出射面１０２は、曲率半径を無限大とすることができる曲線であって、直線の垂直母線を有する。
【００２３】
本明細書において、用語「曲線」は、半径を無限大にすることができる線、列、または表面を意味し、このような線または列は、直線および平面である。これらの入射面および出射面の部分によって画定される、長手方向および横方向の平面における曲線は、必ずしも平行にする必要はない。これらの形は、装備する装置の機能、および自動車における装置の位置によって決まる。
【００２４】
図示の例では、複数の光学的パターン１０４が、スクリーン１００に存在する。この例では、各光学的パターン１０４は、スクリーン１００に厚さ方向の貫通孔を有するものからなり、リフレクタを構成している。
【００２５】
このような光学的パターン１０４は、入射面１０１と平行な第１の曲線列１０５上、および第２の列１０６上に配置されている。第１の曲線列１０５は、入射面に最も近い列である。第１の曲線列１０５は、収束光学パターン１０７からなり、第２の曲線列１０６は、発散（または）収束光学パターン１０８からなっている。
【００２６】
図２は、平面図における光学系１００’の第２の例、すなわち、上面１０３の上に配置されたスクリーンを示している。この例では、入射面１０１’および出射面１０２’は、直線状であって、図面を単純にするために、軸ＯＹと整合している。
【００２７】
入射面１０１’には、本発明による照明または信号伝達装置の少なくとも１つの光源（不図示）から放出される光ビームが発する複数の光信号が入射する。この光源は、公知のタイプ、すなわち、ハロゲンまたはキセノンランプ、または発光ダイオードとすることができる。
【００２８】
光ビームは、平行ビームの形で入射面１０１’に達し、これらの全ての光信号は、互いに平行である。これらの光信号は、入射面１０１’に対して、直角に入射する。
【００２９】
入射面１０１’に対して直角に入射するこれらの光信号は、光の平面を構成する。この光信号は、軸ＯＸに沿った向きであり、上面１０３に対して垂直であって、上方を向く軸ＯＺが、上記した他の２軸と直交基準座標系（ＯＸ、ＯＹ、ＯＺ）を構成している。実際には、軸ＯＺは、本発明による装置におけるスクリーンの位置決めの垂直条件と一致し、垂直である。
【００３０】
回復キャップに関連したランプ、フレネルスクリーンに関連したランプ、リフレクタに関連したランプ、フレネル系に関連した発光ダイオードを用いて、様々な技術的な解決策による平行ビームが、光学系１００または１００’の入射面１０１または１０１’に直接生成される。
【００３１】
このフレネル系は、使用する光源の発光軸を中心に回転するのが好ましい従来のフレネルレンズから構成することができる。このフレネル系はまた、その製造工程、特に型からの取り外しを容易にするために、線形であるのが好ましい円柱フレネルレンズから構成することもできる。円柱フレネルレンズの場合、光ビームは、光学系１００または１００’を構成するスクリーンと平行な平面に、全てコリメートされる。
【００３２】
入射面１０１’から出射面１０２’にかけて、スクリーン１００’は、第１の曲線２０１上に配置された第１の一連の収束光学パターン１０７、第２の曲線２０２上に配置された第２の一連の収束光学パターン１０７、および第３の曲線２０３上に配置された第３の一連の発散光学パターン１０８から構成されている。これら３つの曲線は、互いに対して、および入射面１０１’に対して平行である。
【００３３】
この光学パターンは、全ての光線２００が遮られるように構成されている。具体的には、各光線が唯１回遮られて、単一の光学パターンとなるように構成されている。このような構成は、スクリーン１００’が配置されて、実際の光源が仮想二次光源によって覆われる照明または信号伝達装置に、多光源の外観を付与することができる一例である。
【００３４】
この二次光源は、スクリーン１００’の本体に存在する収束点２０４と一致し、収束パターン１０７が終了する位置であって、光ビームの進行方向で見ると発散光学パターン１０８の直前にある。この発散光学パターン１０８の収束点は、図面を見易くするために示していない。
【００３５】
一般に、本発明によるスクリーンの材料に形成された光学パターン１０４の存在は、照明または信号伝達装置のスクリーンの出射面を介して、その照明または信号伝達装置内に入射する太陽光などのある種の光を反射させ、その光源のスイッチがオフでも、照明または信号伝達装置に煌めく外観を付与すると共に、光ビームの起源である実際の光源を覆って、照明システムの均質性を改善する。
【００３６】
図３Ａは、スクリーン１００の形態と同じ形態を有する光学系、すなわちスクリーンの軸ＯＺに平行なスタック３００の第１の例を示している。この例では、スタック３００が、並置された各スクリーン１００の出射面１０２からなる連続的な丸い全出射面３０１を有するように、各スクリーン１００の入射面１０１は、一直線であり、各スクリーン１００の出射面１０２は湾曲している。
【００３７】
この全出射面３０１は、不連続な部分、または方向が変化する部分を含まない。したがって、図３Ｂに示すように、スタック３００を有する照明または信号伝達装置の出口において、収束点３０３を有する出射光ビームの分布３０２が得られる。
【００３８】
図３Ｃに示すスタック３００’の類似例では、各スクリーン１００’の入射面１０１’は一直線であり、各スクリーン１００’の出射面１０２’は湾曲しているが、方向が変化する部分３０４が、全出射面３０１’の各プレートの接合部に存在するため、スタック３００’を有する照明または信号伝達装置の出口において、この図ではスクリーン１００’が５つあるため、全出射光ビームに、５つもの収束点３０６を有する出射光ビームの分布３０５が得られる。収束点３０６は、入射面１０１’と平行な方向に一直線であって、垂直面に存在している。
【００３９】
図４Ａは、スクリーン１００が、軸ＯＸに平行に徐々にずれているスタック４００の一例を示している。図４Ｂに示すように、スタック４００を有する照明または信号伝達装置の出口において、この図では、スクリーン１００が５つであるため、全出射光ビームに５つもの収束点４０２を有する出射光ビームの分布４０１が得られる。収束点４０２は、入射面１０１’と平行な方向に一直線であって、傾斜した平面に存在している。
【００４０】
図５Ａは、全出射面５０１が突き出るように、各スクリーン１００が配置されているスタック５００の例を示しており、図５Ｂは、全出射面５０１’が凹むように各スクリーン１００が配置されているスタック５００’の例を示している。
【００４１】
図５Ｃに示すように、スタック５００を有する照明または信号伝達装置の出口において、この図では、スクリーン１００が５つであるため、全出射光ビームに５つもの収束点５０３を有する出射光ビームの分布５０２が得られる。収束点５０３は、全出射面５０１に対して平行に湾曲して配置されている。
【００４２】
ある実施形態では、光学パターンを、軸ＯＺに一致する垂直軸と重ね合わせないようにする。多数のスクリーンのスタック、すなわち積重ね工程は、任意の適当な技術を用いて行うことができる。具体的には、積み重ねる２つの連続したスクリーン間に、特殊なインクを設けることができる。
【００４３】
このインクは、光学パターンの存在しない部分に設けるのが有利である。このインクは、レーザーによって放出された光エネルギーを熱エネルギーに変換して、スタックを構成している１または複数のスクリーンを局所的に加熱し、これにより、熱可塑性プラスチック材料を熱融合で確実に結合することができる。
【００４４】
また、このような結合を、適切な機械装置によって行うことも可能である。
【００４５】
単なる例として詳細に説明してきた本発明の様々な実施形態は、スイッチがオフの位置でも、外観が深く見えるようにすること、スイッチがオフまたはオンの位置で、光源を隠蔽すること、スイッチがオンの位置で、「スイッチオンの材料のブロック」の外観を得ること、実際の光の起源を覆う二次光源の外観を付与することなどの様々な目的を達成することを可能にする。
【図面の簡単な説明】
【００４６】
【図１】本発明による照明または信号伝達装置に配置される本発明によるスクリーンの例を示す平面図である。
【図２】第１の拡散方向に従った光信号の分布を例示する、本発明による図１のスクリーンの例の断面図である。
【図３Ａ】本発明による装置内のスクリーンのスタックの第１の例を示す斜視図である。
【図３Ｂ】図３Ａの第１の例で可能な出射ビームの形を示す図である。
【図３Ｃ】図３Ａの第１の例で可能な出射ビームの別の形を示す図である。
【図４Ａ】本発明による装置内のスクリーンのスタックの第２の例を示す斜視図である。
【図４Ｂ】図４Ａの第２の例で可能な出射ビームの形を示す図である。
【図５Ａ】本発明による装置内のスクリーンのスタックの第３の例を示す斜視図である。
【図５Ｂ】本発明による装置内のスクリーンのスタックの第３の例を示す斜視図である。
【図５Ｃ】図５Ａの第３の例で可能な出射ビームの形を示す図である。
【符号の説明】
【００４７】
１００、１００’    スクリーン
１０１、１０１’    入射面
１０２、１０２’    出射面
１０３    上面
１０４    光学的パターン
１０５    第１の曲線列
１０６    第２の曲線列
１０７    収束光学パターン
１０８    発散光学パターン
２００    光信号
２０１    第１の曲線
２０２    第２の曲線
２０３    第３の曲線
２０４    収束点
３００、３００’    スタック
３０１、３０１’    全出射面
３０２    出射光ビームの分布
３０３    収束点
３０４    方向を変化させる部分
３０５    出射光ビームの分布
３０６    収束点
４００    スタック
４０１    出射光ビームの分布
４０２    収束点
５００、５００’    スタック
５０１、５０１’    全出射面
５０２    出射光ビームの分布
５０３    収束点
【図１】
2007294459.tif 000003
【図２】
2007294459.tif 000004
【図３Ａ】
2007294459.tif 000005
【図３Ｂ】
2007294459.tif 000006
【図３Ｃ】
2007294459.tif 000007
【図４Ａ】
2007294459.tif 000008
【図４Ｂ】
2007294459.tif 000009
【図５Ａ】
2007294459.tif 000010
【図５Ｂ】
2007294459.tif 000011
【図５Ｃ】
2007294459.tif 000012
【外国語明細書】
2007294459000001.pdf